(57)【要約】【課題】オークション処理において、出品者及び落札者に対する評価の閲覧可能範囲を限定し、無責任な評価と報復的な評価を同時に抑制する。【解決手段】記憶装置２に記憶されている落札者から出品者に対する評価と、出品者から落札者に対する評価のうち、落札者から出品者に対する評価については、選択的提供手段１７がログイン受付手段１３によりログインが許可された入札者だけに提供する。出品者から落札者に対する評価については、選択的提供手段１７がログイン受付手段１３によりログインが許可された出品者だけに提供する。【選択図】図１
2010146141.tif 000002
【特許請求の範囲】
【請求項１】
演算制御部と、記憶装置と、通信ネットワークとの通信手段と、を備えたコンピュータで実現するオークション処理装置において、
オークションにおける出品者及び入札者の登録を受け付ける登録受付手段と、
前記登録受付手段により登録が受け付けられた出品者及び入札者に関する登録情報を前記記憶装置に記憶させる登録情報記憶手段と、
前記登録情報を参照して、ログインを要求する出品者又は入札者が前記登録受付手段によって既に登録を受け付けられているか否かを確認し、既に登録を受け付けられていれば、前記出品者又は前記入札者のログインを許可するログイン受付手段と、
前記ログイン受付手段によりログインが許可された出品者によるオークションの出品操作を受け付けて、オークションの出品対象を設定するとともに、前記ログイン受付手段によりログインが許可された入札者によるオークションの入札操作を受け付けて、少なくとも一人以上の入札者の中から出品対象の落札者を決定するオークション処理手段と、
前記オークション処理手段により決定された落札者から取引相手の出品者に対する評価を受け付けるとともに、前記出品者から前記落札者に対する評価を受け付ける評価受付手段と、
前記評価受付手段により受け付けられた落札者から出品者に対する評価を前記記憶装置に記憶させるとともに、前記評価受付手段により受け付けられた出品者から落札者に対する評価を前記記憶装置に記憶させる評価記憶手段と、
前記評価記憶手段によって前記記憶装置に記憶されている評価のうち、落札者から出品者に対する評価については、前記ログイン受付手段によりログインが許可された入札者だけに提供し、出品者から落札者に対する評価については、前記ログイン受付手段によりログインが許可された出品者だけに提供する選択的提供手段と、
を前記演算制御部で実現することを特徴とするオークション処理装置。
【請求項２】
前記登録情報記憶手段によって前記記憶装置に記憶されている登録情報の一致、あるいは、前記通信手段が前記通信ネットワーク経由で受けているアクセスに関する識別情報の一致、の少なくとも一方に基づいて、前記登録受付手段により登録が受け付けられている出品者及び入札者の中で、同一人であるか否かを判定する同一人判定手段と、
ある出品者が前記ログイン受付手段によりログインが許可されると、前記出品者と同一人であると判定される入札者の登録が受け付けられているか否かを前記同一人判定手段の判定結果を参照して確認し、同一人であると判定される入札者の登録が受け付けられていれば、前記選択的提供手段から提供される評価の中から、前記出品者が落札者として受けている評価を除外し、ある入札者が前記ログイン受付手段によりログインが許可されると、前記入札者と同一人であると判定される出品者の登録が受け付けられているか否かを前記同一人判定手段の判定結果を参照して確認し、同一人であると判定される出品者の登録が受け付けられていれば、前記選択的提供手段から提供される評価の中から、前記入札者が出品者として受けている評価を除外するフィルタ手段と、
を前記演算制御部で実現することを特徴とする請求項１記載のオークション処理装置。
【請求項３】
演算制御部と、記憶装置と、通信ネットワークとの通信手段と、を備えたコンピュータで実行するオークション処理方法において、
登録受付手段がオークションにおける出品者及び入札者の登録を受け付ける登録受付処理ステップと、
登録情報記憶手段が前記登録受付処理ステップで登録が受け付けられた出品者及び入札者に関する登録情報を前記記憶装置に記憶させる登録情報記憶処理ステップと、
ログイン受付手段が前記登録情報を参照して、ログインを要求する出品者又は入札者が前記登録受付処理ステップで既に登録を受け付けられているか否かを確認し、既に登録を受け付けられていれば、前記出品者又は前記入札者のログインを許可するログイン受付処理ステップと、
オークション処理手段が前記ログイン受付処理ステップでログインが許可された出品者によるオークションの出品操作を受け付けて、オークションの出品対象を設定するとともに、前記ログイン受付処理ステップでログインが許可された入札者によるオークションの入札操作を受け付けて、少なくとも一人以上の入札者の中から出品対象の落札者を決定するオークション処理ステップと、
評価受付手段が前記オークション処理ステップで決定された落札者から取引相手の出品者に対する評価を受け付けるとともに、前記出品者から前記落札者に対する評価を受け付ける評価受付処理ステップと、
評価記憶手段が前記評価受付処理ステップで受け付けられた落札者から出品者に対する評価を前記記憶装置に記憶させるとともに、前記評価受付処理ステップで受け付けられた出品者から落札者に対する評価を前記記憶装置に記憶させる評価記憶処理ステップと、
前記評価記憶処理ステップで前記記憶装置に記憶されている評価のうち、落札者から出品者に対する評価については、選択的提供手段が前記ログイン受付処理ステップでログインが許可された入札者だけに提供し、出品者から落札者に対する評価については、前記選択的提供手段が前記ログイン受付処理ステップでログインが許可された出品者だけに提供する選択的提供処理ステップと、
を前記演算制御部で実行することを特徴とするオークション処理方法。
【請求項４】
記憶装置と、通信ネットワークとの通信手段と、を備えたコンピュータの演算制御部を制御するオークション処理プログラムであって、
オークションにおける出品者及び入札者の登録を受け付ける登録受付処理手順と、
前記登録受付処理手順により登録が受け付けられた出品者及び入札者に関する登録情報を前記記憶装置に記憶させる登録情報記憶処理手順と、
前記登録情報を参照して、ログインを要求する出品者又は入札者が前記登録受処理手順によって既に登録を受け付けられているか否かを確認し、既に登録を受け付けられていれば、前記出品者又は前記入札者のログインを許可するログイン受付処理手順と、
前記ログイン受付処理手順によりログインが許可された出品者によるオークションの出品操作を受け付けて、オークションの出品対象を設定するとともに、前記ログイン受付処理手順によりログインが許可された入札者によるオークションの入札操作を受け付けて、少なくとも一人以上の入札者の中から出品対象の落札者を決定するオークション処理手順と、
前記オークション処理手順により決定された落札者から取引相手の出品者に対する評価を受け付けるとともに、前記出品者から前記落札者に対する評価を受け付ける評価受付処理手順と、
前記評価受付処理手順により受け付けられた落札者から出品者に対する評価を前記記憶装置に記憶させるとともに、前記評価受付処理手順により受け付けられた出品者から落札者に対する評価を前記記憶装置に記憶させる評価記憶処理手順と、
前記評価記憶処理手順によって前記記憶装置に記憶されている評価のうち、落札者から出品者に対する評価については、前記ログイン受付処理手順によりログインが許可された入札者だけに提供し、出品者から落札者に対する評価については、前記ログイン受付処理手順によりログインが許可された出品者だけに提供する選択的提供処理手順と、
を前記演算制御部に実行させることを特徴とするオークション処理プログラム。
【発明の詳細な説明】
【技術分野】
【０００１】
本発明は、過去のオークションにおける出品者（オークションで取引する物品等を出品する者）の評価を入札者（オークションに出品されている物品等に対して入札を行う者）に提供し、入札者の評価を出品者に提供するオークション処理装置、オークション処理方法及びオークション処理プログラムに関するものである。
【背景技術】
【０００２】
例えば、以下の非特許文献１に開示されているインターネットオークションでは、不適切なオークション参加者を排除する目的で、オークションの取引後に、出品者と落札者の双方から、取引相手に対する評価（例えば、「良い」「悪い」「どちらでもない」などの選択肢と、コメントなど）の入力を受け付けるようにしている。
そして、その評価の内容を当事者（出品者、落札者）毎に集計し、その集計結果をウェブサイトで公表して閲覧に供している。
なお、落札者に対する評価は、評価者である出品者のみが変更可能であり、落札者は変更することができない。
一方、出品者に対する評価は、評価者である落札者のみが変更可能であり、出品者は変更することができない。
【０００３】
取引相手に対する評価の蓄積情報を更に有効に活用する目的で、取引相手の過去の評価得点と落札受取総額の関係から、オークションの利用制限を行う技術が開発されている（例えば、特許文献１，２を参照）。
また、評価の急変を監視して、不正な取引を検出する技術が開発されている（例えば、特許文献３を参照）。
【０００４】
【非特許文献１】http://auctions.yahoo.co.jp/jp/
【特許文献１】特開２００４−１９２４３８号公報
【特許文献２】特開２００６−３３８６９５号公報
【特許文献３】特開２００８−０１５９８９号公報
【発明の開示】
【発明が解決しようとする課題】
【０００５】
しかし、自分に対する評価を見てから取引相手に対する評価を変更することが可能であるため、取引相手から報復的な評価をつけられることを恐れてしまう傾向にある。このため、「悪い」などの本音の評価が抑制され、良い評価ばかりに収斂し、多様な評価で取引相手の適否を判断するという本来の機能を充分に発揮できない虞があった。
なお、匿名での評価を受け付ければ、「悪い」などの本音の評価を付け易くなると考えられるが、この場合には、無責任な評価を招く可能性が高くなる問題があった。
【０００６】
本発明は、上記のような従来技術の課題を解決するもので、その目的は、オークション処理において、出品者及び落札者に対する評価の閲覧可能範囲を限定し、無責任な評価と報復的な評価を同時に抑制することである。
【課題を解決するための手段】
【０００７】
（１）この発明に係るオークション処理装置は、演算制御部と、記憶装置と、通信ネットワークとの通信手段とを備えたコンピュータで実現するものであって、オークションにおける出品者及び入札者の登録を受け付ける登録受付手段と、前記登録受付手段により登録が受け付けられた出品者及び入札者に関する登録情報を前記記憶装置に記憶させる登録情報記憶手段と、前記登録情報を参照して、ログインを要求する出品者又は入札者が前記登録受付手段によって既に登録を受け付けられているか否かを確認し、既に登録を受け付けられていれば、前記出品者又は前記入札者のログインを許可するログイン受付手段と、前記ログイン受付手段によりログインが許可された出品者によるオークションの出品操作を受け付けて、オークションの出品対象を設定するとともに、前記ログイン受付手段によりログインが許可された入札者によるオークションの入札操作を受け付けて、少なくとも一人以上の入札者の中から出品対象の落札者を決定するオークション処理手段と、前記オークション処理手段により決定された落札者から取引相手の出品者に対する評価を受け付けるとともに、前記出品者から前記落札者に対する評価を受け付ける評価受付手段と、前記評価受付手段により受け付けられた落札者から出品者に対する評価を前記記憶装置に記憶させるとともに、前記評価受付手段により受け付けられた出品者から落札者に対する評価を前記記憶装置に記憶させる評価記憶手段と、前記評価記憶手段によって前記記憶装置に記憶されている評価のうち、落札者から出品者に対する評価については、前記ログイン受付手段によりログインが許可された入札者だけに提供し、出品者から落札者に対する評価については、前記ログイン受付手段によりログインが許可された出品者だけに提供する選択的提供手段と、を前記演算制御部で実現することを特徴とするものである。
【０００８】
（１−２）この発明を方法の観点から把握すると、演算制御部と、記憶装置と、通信ネットワークとの通信手段とを備えたコンピュータで実行するオークション処理方法は、登録受付手段がオークションにおける出品者及び入札者の登録を受け付ける登録受付処理ステップと、登録情報記憶手段が前記登録受付処理ステップで登録が受け付けられた出品者及び入札者に関する登録情報を前記記憶装置に記憶させる登録情報記憶処理ステップと、ログイン受付手段が前記登録情報を参照して、ログインを要求する出品者又は入札者が前記登録受付処理ステップで既に登録を受け付けられているか否かを確認し、既に登録を受け付けられていれば、前記出品者又は前記入札者のログインを許可するログイン受付処理ステップと、オークション処理手段が前記ログイン受付処理ステップでログインが許可された出品者によるオークションの出品操作を受け付けて、オークションの出品対象を設定するとともに、前記ログイン受付処理ステップでログインが許可された入札者によるオークションの入札操作を受け付けて、少なくとも一人以上の入札者の中から出品対象の落札者を決定するオークション処理ステップと、評価受付手段が前記オークション処理ステップで決定された落札者から取引相手の出品者に対する評価を受け付けるとともに、前記出品者から前記落札者に対する評価を受け付ける評価受付処理ステップと、評価記憶手段が前記評価受付処理ステップで受け付けられた落札者から出品者に対する評価を前記記憶装置に記憶させるとともに、前記評価受付処理ステップで受け付けられた出品者から落札者に対する評価を前記記憶装置に記憶させる評価記憶処理ステップと、前記評価記憶処理ステップで前記記憶装置に記憶されている評価のうち、落札者から出品者に対する評価については、選択的提供手段が前記ログイン受付処理ステップでログインが許可された入札者だけに提供し、出品者から落札者に対する評価については、前記選択的提供手段が前記ログイン受付処理ステップでログインが許可された出品者だけに提供する選択的提供処理ステップと、を前記演算制御部で実行することを特徴とする。
【０００９】
（１−３）この発明をコンピュータ・プログラムの観点から把握すると、オークションにおける出品者及び入札者の登録を受け付ける登録受付処理手順と、前記登録受付処理手順により登録が受け付けられた出品者及び入札者に関する登録情報を前記記憶装置に記憶させる登録情報記憶処理手順と、前記登録情報を参照して、ログインを要求する出品者又は入札者が前記登録受処理手順によって既に登録を受け付けられているか否かを確認し、既に登録を受け付けられていれば、前記出品者又は前記入札者のログインを許可するログイン受付処理手順と、前記ログイン受付処理手順によりログインが許可された出品者によるオークションの出品操作を受け付けて、オークションの出品対象を設定するとともに、前記ログイン受付処理手順によりログインが許可された入札者によるオークションの入札操作を受け付けて、少なくとも一人以上の入札者の中から出品対象の落札者を決定するオークション処理手順と、前記オークション処理手順により決定された落札者から取引相手の出品者に対する評価を受け付けるとともに、前記出品者から前記落札者に対する評価を受け付ける評価受付処理手順と、前記評価受付処理手順により受け付けられた落札者から出品者に対する評価を前記記憶装置に記憶させるとともに、前記評価受付処理手順により受け付けられた出品者から落札者に対する評価を前記記憶装置に記憶させる評価記憶処理手順と、前記評価記憶処理手順によって前記記憶装置に記憶されている評価のうち、落札者から出品者に対する評価については、前記ログイン受付処理手順によりログインが許可された入札者だけに提供し、出品者から落札者に対する評価については、前記ログイン受付処理手順によりログインが許可された出品者だけに提供する選択的提供処理手順と、をコンピュータの演算制御部に実行させるためのものである。
【００１０】
これらの発明によれば、評価の閲覧可能範囲を限定して、無責任な評価と報復的な評価を同時に抑制することができるオークション処理装置、オークション処理方法及びオークション処理プログラムが得られる。
【００１１】
（２）（１）のオークション処理装置において、前記登録情報記憶手段によって前記記憶装置に記憶されている登録情報、あるいは、前記通信手段が前記通信ネットワーク経由で受けているアクセスに関する識別情報を参照して、前記登録受付手段により登録が受け付けられている出品者及び入札者の中で、同一人であると判定される出品者と入札者を判定する同一人判定手段と、ある出品者が前記ログイン受付手段によりログインが許可されると、前記出品者と同一人であると判定される入札者の登録が受け付けられているか否かを前記同一人判定手段の判定結果を参照して確認し、同一人であると判定される入札者の登録が受け付けられていれば、前記選択的提供手段から提供される評価の中から、前記出品者が落札者として受けている評価を除外し、ある入札者が前記ログイン受付手段によりログインが許可されると、前記入札者と同一人であると判定される出品者の登録が受け付けられているか否かを前記同一人判定手段の判定結果を参照して確認し、同一人であると判定される出品者の登録が受け付けられていれば、前記選択的提供手段から提供される評価の中から、前記入札者が出品者として受けている評価を除外するフィルタ手段と、を前記演算制御部で実現することを特徴とするものである。
この発明によれば、出品者として登録していると同時に、入札者としても登録している者であっても、自分に対する評価の閲覧が禁止されるオークション処理装置が得られる。
【発明の効果】
【００１２】
この発明によれば、評価の閲覧可能範囲を限定して、無責任な評価と報復的な評価を同時に抑制することができる効果がある。
【発明を実施するための最良の形態】
【００１３】
次に、本発明を実施するための複数の最良の形態（それぞれ以下「実施形態」と呼ぶ）について、図に沿って説明する。なお、背景技術や課題などで既に述べた内容と共通の前提事項については適宜省略する。
【００１４】
〔１．第１実施形態の構成〕
まず、第１実施形態は、図１の構成図に示すように、パーソナルコンピュータに代表されるコンピュータ１上に実現されるオークション処理装置（以下「本装置」とも呼ぶ）に関するものである。コンピュータ１は、主メモリや外部記憶装置（ＨＤＤなど）などの記憶装置２と、ＣＰＵなどの演算制御部３と、通信ネットワークＮと通信するためのＬＡＮアダプタなどの通信手段４と、を備えている。
【００１５】
また、本装置は、出品者及び入札者の登録を受け付ける登録受付手段１１と、出品者及び入札者に関する登録情報を記憶装置２に記憶させる登録情報記憶手段１２と、既に登録を受け付けられている出品者又は入札者のログインを許可するログイン受付手段１３と、出品対象の落札者を決定するオークション処理手段１４と、取引相手の双方から相手方の評価を受け付ける評価受付手段１５と、評価を記憶装置２に記憶させる評価記憶手段１６と、落札者から出品者に対する評価については、ログインが許可された入札者だけに提供し、出品者から落札者に対する評価については、ログインが許可された出品者だけに提供する選択的提供手段１７と、同一人であると判定される出品者と入札者を判定する同一人判定手段１８と、選択的提供手段１７から提供される評価の一部を除外するフィルタ手段１９と、を有する。
【００１６】
これら各要素のうち、登録受付手段１１、ログイン受付手段１３、オークション処理手段１４、評価受付手段１５、選択的提供手段１７、同一人判定手段１８及びフィルタ手段１９は、演算制御部３が予め記憶装置２に格納（インストール）している図示しないコンピュータ・プログラムであるオークション処理プログラムを実行することで実現するものであって、本発明及び実施形態の各機能作用や処理ステップを実現する処理手段である。
また、登録情報記憶手段１２及び評価記憶手段１６は、記憶装置２上で情報を記憶する部分であり、ファイルやデータベース、変数値やシステム登録値などとして実現される。本実施形態では、登録情報記憶手段１２及び評価記憶手段１６を別個独立としているが、一体に構成してもよい。
【００１７】
〔２．第１実施形態の基本的作用効果〕
図２のフローチャートは、本装置の処理内容を示しているので、以下、図２を参照しながら説明する。
【００１８】
まず、登録受付手段１１は、オークションにおける出品者及び入札者の登録を受け付ける処理を行う（ステップＳＴ１）。
即ち、登録受付手段１１は、出品者としての登録を希望する者や、入札者としての登録を希望する者から、ログイン用の認証情報（例えば、ＩＤ、パスワードなど）を含む登録情報（例えば、氏名、生年月日、性別、住所、電話番号、メールアドレスなど）を通信ネットワークＮ経由で受信して、その登録情報を登録情報記憶手段１２に出力する。
登録情報記憶手段１２は、登録受付手段１１から出品者や入札者に関する登録情報を受けると、その登録情報を記憶装置２に記憶させる（ステップＳＴ２）。
【００１９】
既に登録を受けている出品者は、実際にオークションで取引をする物品等（物、サービスなど）を設定する際、自己の端末（例えば、パソコン、携帯電話）を使用して、本装置にアクセスすることで、ログイン用の認証情報を本装置に送信する。
また、既に登録を受けている入札者は、実際にオークションに出品されている物品等に対して入札を行う際、自己の端末を使用して本装置にアクセスすることで、ログイン用の認証情報を本装置に送信する。
【００２０】
ログイン受付手段１３は、コンピュータ１の通信手段４が通信ネットワークＮ経由で、出品者又は入札者からログイン用の認証情報を受信すると（ステップＳＴ３）、そのログイン用の認証情報と記憶装置２に記憶されている登録情報とを照合し、出品者又は入札者のログインを許可するか否かを決定する（ステップＳＴ４）。
例えば、通信手段４により受信された出品者又は入札者のログイン用の認証情報と、記憶装置２に記憶されている出品者又は入札者のログイン用の認証情報（登録情報に含まれている）とを比較し、一致していればログインを許可して、一致していなければログインを拒否する。
【００２１】
オークション処理手段１４は、既に登録を受けている出品者がログイン受付手段１３によりログインが許可された場合（ステップＳＴ５）、その出品者によるオークションの出品操作を受け付けて、オークションの出品対象を設定する（ステップＳＴ６）。
なお、オークションの出品操作は、例えば、商品の内容や値段の設定などを行って、実際にオークションに出品する物品等を特定する操作のことである。
【００２２】
また、オークション処理手段１４は、既に登録を受けている入札者がログイン受付手段１３によりログインが許可された場合（ステップＳＴ７）、その入札者によるオークションの入札操作を受け付けて、少なくとも一人以上の入札者の中から出品対象の落札者を決定する処理を行う（ステップＳＴ８）。
なお、オークションの入札操作は、入札する商品の選択や入札金額などを設定する操作のことである。
また、落札者を決定する処理は、通常、入札している一人以上の入札者の中から、最高金額を入札している入札者を落札者に決定する処理のことである。
【００２３】
評価受付手段１５は、オークション処理手段１４が出品対象の落札者を決定すると、通信ネットワークＮ経由で、その落札者から取引相手の出品者に対する評価を受け付けるとともに、その出品者からその落札者に対する評価を受け付ける処理を行う（ステップＳＴ９）。
これにより、落札者は、取引相手の出品者に対する評価を行うことができる一方、その出品者は、その落札者に対する評価を行うことができる。
評価受付手段１５により受け付けられた落札者から出品者に対する評価と、出品者から落札者に対する評価とは区別されて、評価記憶手段１６によって記憶装置２に記憶される（ステップＳＴ１０）。
【００２４】
選択的提供手段１７は、ログイン受付手段１３によりログインが許可されている出品者から、通信ネットワークＮ経由で、出品者から落札者に対する評価の閲覧要求を受けると（ステップＳＴ１１）、記憶装置２に記憶されている出品者から落札者に対する評価の閲覧を許可する（ステップＳＴ１２）。これにより、出品者は図３に示すような落札者に対する評価画面を閲覧することができる。
ただし、ログイン受付手段１３によりログインが許可されている出品者から、通信ネットワークＮ経由で、落札者から出品者に対する評価の閲覧要求を受けても、記憶装置２に記憶されている落札者から出品者に対する評価の閲覧を拒否する。
【００２５】
また、選択的提供手段１７は、ログイン受付手段１３によりログインが許可されている入札者から、通信ネットワークＮ経由で、落札者から出品者に対する評価の閲覧要求を受けると（ステップＳＴ１３）、記憶装置２に記憶されている落札者から出品者に対する評価の閲覧を許可する（ステップＳＴ１４）。これにより、入札者は図４に示すような出品者に対する評価画面を閲覧することができる。
ただし、ログイン受付手段１３によりログインが許可されている入札者から、通信ネットワークＮ経由で、出品者から落札者に対する評価の閲覧要求を受けても、記憶装置２に記憶されている出品者から落札者に対する評価の閲覧を拒否する。
【００２６】
したがって、図５に示すように、出品者は、落札者に対する評価を閲覧することができても、出品者に対する評価を閲覧することができず、自分に対する評価を閲覧することができない。
また、入札者である落札者は、出品者に対する評価を閲覧することができても、落札者に対する評価を閲覧することができず、自分に対する評価を閲覧することができない。
なお、図中“？”は、評価を閲覧できていないことを意味している。
【００２７】
ただし、オークションの参加者が、出品者として登録していると同時に、入札者としても登録している場合には、自分に対する評価を閲覧することが可能となる。
そこで、同一人判定手段１８及びフィルタ手段１９を設けることで、出品者として登録していると同時に入札者としても登録している者に対しても、自分に対する評価の閲覧を禁止している。
具体的には、以下の通りである。
【００２８】
同一人判定手段１８は、記憶装置２に記憶されている登録情報の一致、あるいは、通信手段４が通信ネットワークＮ経由で受けているアクセスに関する識別情報（例えば、出品者等が使用する端末のＩＰアドレス、Ｃｏｏｋｉｅ情報、ウェブブラウザのエージェント情報など）の一致、に基づいて、登録受付手段１１により登録が受け付けられている出品者及び入札者の中で、同一人であると判定される出品者と入札者を判定する。この場合は前記登録情報と識別情報の両方、またはどちらか一方に基づいて判定することができる。
【００２９】
即ち、同一人判定手段１８は、記憶装置２に記憶されている全ての出品者に関する登録情報と、全ての入札者に関する登録情報を照合する。
このとき、登録情報の全部が一致していれば、出品者と入札者が同一人であると、ほぼ確実に判定できる。ただし、登録情報の全部が一致していない場合でも、複数の重要な項目が一致していれば（例えば、氏名と生年月日の一致など）、出品者と入札者が同一人であると判定するようにして、同一人判定手段１８及びフィルタ手段１９を充分に機能させることが好ましい。
また、同一人判定手段１８は、ログイン受付手段１３によりログインが許可されている出品者から受けているアクセスに関する識別情報と、入札者から受けているアクセスに関する識別情報とを照合する。
このとき、アクセスに関する識別情報の全部が一致するとは限らないが（例えば、固定ＩＰアドレス以外のＩＰアドレスは変わりうるため）、識別情報の重要な要素（例えば、Ｃｏｏｋｉｅ情報や、モバイル端末の携帯ＩＤなど）の一致をもって出品者と入札者が同一人であると判定してもよい。
【００３０】
フィルタ手段１９は、ある出品者がログイン受付手段１３によりログインが許可されると、その出品者と同一人であると判定される入札者の登録が受け付けられているか否かを同一人判定手段１８の判定結果を参照して確認する。
フィルタ手段１９は、その出品者と同一人であると判定される入札者の登録が受け付けられていれば、選択的提供手段１７から提供される評価の中から、その出品者が落札者として受けている評価を除外する。
これにより、選択的提供手段１７から提供される評価は、自分以外の落札者に対する評価に限定され、自分に対する評価を閲覧することができない。
【００３１】
また、フィルタ手段１９は、ある入札者がログイン受付手段１３によりログインが許可されると、その入札者と同一人であると判定される出品者の登録が受け付けられているか否かを同一人判定手段１８の判定結果を参照して確認する。
フィルタ手段１９は、その入札者と同一人であると判定される出品者の登録が受け付けられていれば、選択的提供手段１７から提供される評価の中から、その入札者が出品者として受けている評価を除外する。
これにより、選択的提供手段１７から提供される評価は、自分以外の出品者に対する評価に限定され、自分に対する評価を閲覧することができない。
【００３２】
以上のように、第１実施形態によれば、記憶装置２に記憶されている評価のうち、落札者から出品者に対する評価については、ログイン受付手段１３によりログインが許可された入札者だけに提供し、出品者から落札者に対する評価については、ログイン受付手段１３によりログインが許可された出品者だけに提供される。したがって、評価の閲覧可能範囲を限定することで、無責任な評価と報復的な評価を同時に抑制することができるオークション処理装置が得られる。
【００３３】
また、第１実施形態によれば、ある出品者がログイン受付手段１３によりログインが許可されたとき、その出品者と同一人であると判定される入札者の登録が受け付けられていれば、選択的提供手段１７により提供される評価の中から、その出品者が落札者として受けている評価が除外される。また、ある入札者がログイン受付手段１３によりログインが許可されたとき、その入札者と同一人であると判定される出品者の登録が受け付けられていれば、選択的提供手段１７から提供される評価の中から、その入札者が出品者として受けている評価が除外される。したがって、出品者として登録していると同時に入札者としても登録している者についても、自分に対する評価の閲覧が禁止されるオークション処理装置が得られる。
【００３４】
〔３．第２実施形態〕
上記第１実施形態では、同一人判定手段１８及びフィルタ手段１９を実装しているオークション処理装置について示したが、同一人判定手段１８及びフィルタ手段１９は必須の構成要素ではなく、同一人判定手段１８及びフィルタ手段１９を省略してもよい。
この場合、オークション処理装置の構成要素が簡略化される。
【図面の簡単な説明】
【００３５】
【図１】本発明の第１実施形態によるオークション処理装置の構成を示す機能ブロック図である。
【図２】本発明の第１実施形態によるオークション処理装置の処理内容を示すフローチャートである。
【図３】落札者に対する評価画面を示す説明図である。
【図４】出品者に対する評価画面を示す説明図である。
【図５】出品者及び入札者が閲覧可能な範囲を示す説明図である。
【符号の説明】
【００３６】
Ｎ  通信ネットワーク
１  コンピュータ
２  記憶装置
３  演算制御部
４  通信手段
１１  登録受付手段
１２  登録情報記憶手段
１３  ログイン受付手段
１４  オークション処理手段
１５  評価受付手段
１６  評価記憶手段
１７  選択的提供手段
１８  同一人判定手段
１９  フィルタ手段
【図１】
2010146141.tif 000003
【図２】
2010146141.tif 000004
【図３】
2010146141.tif 000005
【図４】
2010146141.tif 000006
【図５】
2010146141.tif 000007